【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
機体の内部に形成された所定の領域に可動装置を設け、図柄表示装置で表示される各種表示を視認可能な視認領域が形成された遊技機であって、
前記可動装置は、
少なくとも、扇状に形成された第１扇状羽根片、前記第１扇状羽根片の後方に位置する扇状に形成された第２扇状羽根片及び前記第２扇状羽根片の後方に位置する扇状に形成された第３扇状羽根片を有し、前記視認領域に対して進退可能に設けられ、前記視認領域から退避している時は前記第１扇状羽根片、第２扇状羽根片及び第３扇状羽根片が重なって配置されている羽根部材を有しており、
予め定められた条件が成立した時に、
前記第１扇状羽根片、第２扇状羽根片及び第３扇状羽根片が重なって前記視認領域に進出する第１表示態様、
前記第１扇状羽根片及び第２扇状羽根片が重なって前記視認領域に進出し、前記第３扇状羽根片が前記第１扇状羽根片よりも視認領域に進出する第２表示態様、
前記第１扇状羽根片が前記視認領域に進出し、前記第２扇状羽根片が前記第１扇状羽根片よりも視認領域に進出し、さらに前記第３扇状羽根片が前記第２扇状羽根片よりも視認領域に進出する第３表示態様の少なくともいずれかの表示態様で、前記羽根部材が前記視認領域で視認されるように構成したことを特徴とする遊技機。
【請求項２】
機体の内部に形成された所定の領域に可動装置を設け、図柄表示装置で表示される各種表示を視認可能な視認領域が形成された遊技機であって、
前記可動装置は、
少なくとも、扇状に形成された第１扇状羽根片、前記第１扇状羽根片の後方に位置する扇状に形成された第２扇状羽根片及び前記第２扇状羽根片の後方に位置する扇状に形成された第３扇状羽根片を有し、前記視認領域に対して進退可能に設けられ、前記視認領域から退避している時は前記第１扇状羽根片、第２扇状羽根片及び第３扇状羽根片が重なって配置されている羽根部材と、
前記第２扇状羽根片と第３扇状羽根片との間に設けられ、前記第２扇状羽根片を前記視認領域へ進出させる方向へ付勢し、前記第３扇状羽根片を前記視認領域から退避させる方向へ付勢する第１付勢手段と、
前記第１扇状羽根片と第２扇状羽根片との間に設けられ、前記第１扇状羽根片を前記視認領域へ進出させる方向へ付勢し、前記第２扇状羽根片を前記視認領域から退避させる方向へ付勢し、前記第１付勢手段よりも付勢力が大きい第２付勢手段と、を備え、
前記第１付勢手段が前記第２扇状羽根片を前記視認領域へ進出させる方向へ付勢し、前記第２付勢手段が前記第１扇状羽根片を前記視認領域へ進出させる方向へ付勢することにより、前記第１扇状羽根片、第２扇状羽根片及び第３扇状羽根片が重なって前記視認領域に進出し、前記第１扇状羽根片が視認可能な第１表示態様、
前記第１付勢手段が前記第２扇状羽根片を前記視認領域へ進出させる方向へ付勢することにより、前記第１扇状羽根片及び第２扇状羽根片が重なって前記視認領域に進出し、前記第３扇状羽根片が前記第１扇状羽根片よりも視認領域に進出し、前記第１扇状羽根片及び前記第３扇状羽根片が視認可能な第２表示態様、
前記第１扇状羽根片が前記視認領域に進出し、前記第２扇状羽根片が前記第１扇状羽根片よりも視認領域に進出し、さらに前記第３扇状羽根片が前記第２扇状羽根片よりも視認領域に進出し、前記第１扇状羽根片、第２扇状羽根片及び第３扇状羽根片が視認可能な第３表示態様のいずれかの表示態様で前記羽根部材が前記視認領域で視認されるように構成したことを特徴とする遊技機。
【請求項３】
前記第１扇状羽根片、第２扇状羽根片及び第３扇状羽根片が透過性を有することを特徴とする請求項１又は２記載の遊技機。
【手続補正２】
【補正対象書類名】明細書
【補正対象項目名】０００１
【補正方法】変更
【補正の内容】
【０００１】
本発明は、機体の内部に形成された所定の領域に可動装置を設けた遊技機に関する。
【手続補正３】
【補正対象書類名】明細書
【補正対象項目名】０００７
【補正方法】変更
【補正の内容】
【０００７】
本発明は、
（１）機体の内部に形成された所定の領域に可動装置を設け、図柄表示装置で表示される各種表示を視認可能な視認領域が形成された遊技機であって、前記可動装置は、少なくとも、扇状に形成された第１扇状羽根片、前記第１扇状羽根片の後方に位置する扇状に形成された第２扇状羽根片及び前記第２扇状羽根片の後方に位置する扇状に形成された第３扇状羽根片を有し、前記視認領域に対して進退可能に設けられ、前記視認領域から退避している時は前記第１扇状羽根片、第２扇状羽根片及び第３扇状羽根片が重なって配置されている羽根部材を有しており、予め定められた条件が成立した時に、前記第１扇状羽根片、第２扇状羽根片及び第３扇状羽根片が重なって前記視認領域に進出する第１表示態様、前記第１扇状羽根片及び第２扇状羽根片が重なって前記視認領域に進出し、前記第３扇状羽根片が前記第１扇状羽根片よりも視認領域に進出する第２表示態様、前記第１扇状羽根片が前記視認領域に進出し、前記第２扇状羽根片が前記第１扇状羽根片よりも視認領域に進出し、さらに前記第３扇状羽根片が前記第２扇状羽根片よりも視認領域に進出する第３表示態様の少なくともいずれかの表示態様で、前記羽根部材が前記視認領域で視認されるように構成したことを特徴とする遊技機；
（２）機体の内部に形成された所定の領域に可動装置を設け、図柄表示装置で表示される各種表示を視認可能な視認領域が形成された遊技機であって、前記可動装置は、少なくとも、扇状に形成された第１扇状羽根片、前記第１扇状羽根片の後方に位置する扇状に形成された第２扇状羽根片及び前記第２扇状羽根片の後方に位置する扇状に形成された第３扇状羽根片を有し、前記視認領域に対して進退可能に設けられ、前記視認領域から退避している時は前記第１扇状羽根片、第２扇状羽根片及び第３扇状羽根片が重なって配置されている羽根部材と、前記第２扇状羽根片と第３扇状羽根片との間に設けられ、前記第２扇状羽根片を前記視認領域へ進出させる方向へ付勢し、前記第３扇状羽根片を前記視認領域から退避させる方向へ付勢する第１付勢手段と、前記第１扇状羽根片と第２扇状羽根片との間に設けられ、前記第１扇状羽根片を前記視認領域へ進出させる方向へ付勢し、前記第２扇状羽根片を前記視認領域から退避させる方向へ付勢し、前記第１付勢手段よりも付勢力が大きい第２付勢手段と、を備え、前記第１付勢手段が前記第２扇状羽根片を前記視認領域へ進出させる方向へ付勢し、前記第２付勢手段が前記第１扇状羽根片を前記視認領域へ進出させる方向へ付勢することにより、前記第１扇状羽根片、第２扇状羽根片及び第３扇状羽根片が重なって前記視認領域に進出し、前記第１扇状羽根片が視認可能な第１表示態様、前記第１付勢手段が前記第２扇状羽根片を前記視認領域へ進出させる方向へ付勢することにより、前記第１扇状羽根片及び第２扇状羽根片が重なって前記視認領域に進出し、前記第３扇状羽根片が前記第１扇状羽根片よりも視認領域に進出し、前記第１扇状羽根片及び前記第３扇状羽根片が視認可能な第２表示態様、前記第１扇状羽根片が前記視認領域に進出し、前記第２扇状羽根片が前記第１扇状羽根片よりも視認領域に進出し、さらに前記第３扇状羽根片が前記第２扇状羽根片よりも視認領域に進出し、前記第１扇状羽根片、第２扇状羽根片及び第３扇状羽根片が視認可能な第３表示態様のいずれかの表示態様で前記羽根部材が前記視認領域で視認されるように構成したことを特徴とする遊技機；
（３）前記第１扇状羽根片、第２扇状羽根片及び第３扇状羽根片が透過性を有することを特徴とする上記（１）又は（２）記載の遊技機；
を要旨とする。